(57)【特許請求の範囲】
【請求項１】
複数の柵用支柱と、その頂部間に架設される手摺ビームと、該手摺ビームを支持すると共に前記支柱の頂部に固定される支持部材とを備え、該支持部材は、手摺ビームを固定する締結具挿入孔が水平方向に穿設された縦壁と、その縦壁の前面側に手摺ビームが載置される正面視山型の底部が形成された手摺ビーム載置部とを備え、前記縦壁の締結具挿入孔に挿入された締結具を軸として手摺ビームが上下方向に回動可能に支持されていることを特徴とする柵用手摺ビームの固定構造。
【請求項２】
前記請求項１に記載の柵用手摺ビームの固定構造を備えた柵であって、支柱上端に取付けられた支柱キャップの側面に軸受部が突設され、該軸受部に柵ビーム取付具が上下方向に回動可能に取付けられ、該柵ビーム取付具に柵ビームが取付けられると共に、前記支柱キャップ上に前記支持部材を介して手摺ビームが支持されていることを特徴とする柵。
【発明の詳細な説明】
【技術分野】
【０００１】
本発明は、道路等に設置されるパネル柵やビーム柵等における柵用手摺ビームの固定構造及びその固定構造を備えた柵に関するものである。
【背景技術】
【０００２】
従来、道路等に設置される柵用手摺ビームの固定構造としては、例えば、支柱の上端に固定されたキャップの上端に固定される連結金具と、前記キャップの上方に前記連結金具を介して前記手摺を固定するための手摺固定金具とからなり、前記連結金具は、球状下半部および矩形状上半部を有し、前記手摺固定金具は、前記手摺の端部が載置される受け台と、前記連結金具の前記球状下半部および前記矩形状上半部が嵌合する嵌合孔と、前記受け台に形成された、前記手摺を前記手摺固定金具に固定するための手摺固定ボルトが挿通される締結具挿入孔とを有している防護柵の手摺用自在継手を用いた手摺ビーム固定構造が提案されている。（特許文献１）
【０００３】
【特許文献１】特開平９−１５１４２８号公報
【発明の概要】
【発明が解決しようとする課題】
【０００４】
しかしながら、上記手摺ビームの固定構造においては、支柱の上端に手摺ビームを固定するには、連結金具と手摺固定金具の少なくとも３種類の部材が必要となるため、部材の製造においても、柵の施工においても煩雑となり、効率がよいとは言えないものであった。
【０００５】
そこで本発明は、支柱の上端に手摺ビームを固定を取付ける際、部材点数が少なく、効率的に施工できる柵用手摺ビームの固定構造及びその固定構造を備えた柵を提供せんとするものである。
【課題を解決するための手段】
【０００６】
上記目的を達成するために、本発明は次のような構成としている。
すなわち、本発明に係る柵用手摺ビームの固定構造は、複数の柵用支柱と、その頂部間に架設される手摺ビームと、該手摺ビームを支持すると共に前記支柱の頂部に固定される支持部材とを備え、該支持部材は、手摺ビームを固定する締結具挿入孔が水平方向に穿設された縦壁と、その縦壁の前面側に手摺ビームが載置される正面視山型の底部が形成された手摺ビーム載置部とを備え、前記縦壁の締結具挿入孔に挿入された締結具を軸として手摺ビームが上下方向に回動可能に支持されていることを特徴とするものである。
【０００７】
また、本発明に係る柵は、前記柵用手摺ビームの固定構造を備えた柵であって、支柱上端に取付けられた支柱キャップの側面に軸受部が突設され、該軸受部に柵ビーム取付具が上下方向に回動可能に取付けられ、該柵ビーム取付具に柵ビームが取付けられると共に、前記支柱キャップ上に前記支持部材を介して手摺ビームが支持されていることを特徴とするものである。
【発明の効果】
【０００８】
本発明に係る柵用手摺ビームの固定構造によれば、手摺ビームを支持する支持部材は、手摺ビームを固定する締結具挿入孔が水平方向に穿設された縦壁と、その縦壁の前面側に手摺ビームが載置される正面視山型の底部が形成された手摺ビーム載置部とを備え、前記縦壁の締結具挿入孔に挿入された締結具を軸として手摺ビームが上下方向に回動可能に支持されているため、支持部材のみで手摺ビームの傾斜地での施工が可能であり、施工を効率的に行うことができる。
【０００９】
また本発明に係る柵によれば、前記の如き柵用手摺ビームの固定構造により、支持部材によって上下方向に回動可能に支持された手摺ビームに加えて、支柱上端に取付けられた支柱キャップの側面に軸受部が突設され、該軸受部に柵ビーム取付具が上下方向に回動可能に取付けられ、該柵ビーム取付具に柵ビームが取付けられると共に、前記支柱キャップ上に前記支持部材を介して手摺ビームが支持されているため、平坦地に柵を設置する場合であっても、傾斜地に柵を設置する場合であっても、同一の部材を用いて柵を施工することができ、特殊な部材を用いることなく安価に柵を施工できる。
【図面の簡単な説明】
【００１０】
【図１】本発明に係る柵の実施の一形態を示す、（ア）は正面図、（イ）は平面図、（ウ）は右側面図である。
【図２】本発明に係る柵用手摺ビーム固定構造に用いられる支持部材の斜視図である。
【図３】図１の部分切欠の分解斜視図である。
【図４】本発明に係る柵を傾斜地に設置した時の要部拡大の正面図である。
【図５】図１に示す柵の支柱キャップを示す、（ア）は正面図、（イ）は背面図、（ウ）は（イ）のＡ−Ａ断面図である。
【発明を実施するための形態】
【００１１】
本発明の実施の形態について、図面に基づき以下に具体的に説明する。
図において、１は円柱状の支柱であり、その下部は地中に埋設され適宜間隔で複数本地表に立設される。２は支柱１の上端に被せられた下部が略円筒形状となされた支柱キャップであり、上端は一方の側面から該側面に相対する他方の側面に向けて片流れ状に傾斜する平坦な傾斜面２１となされて、該支柱キャップ２の上部は側面視三角形状となされている。また、その下方には凹溝２２が全周に亘り形成され、該凹溝２２には合成樹脂に球形のガラスビーズが間隔をおいて配置された帯状の反射体Ｈが巻回されている。また、凹溝２２の下方には支柱１に内挿される挿入部２３が突設されて、該挿入部２３が支柱１上端に挿入されると共に、支柱１と前記支柱キャップ２の挿入部２３とを貫通する支柱キャップ固定用ボルトＢ１で支柱１に固定されている。
【００１２】
前記支柱キャップ２の上端に形成された傾斜面２１は、上方の等幅部２４と下方の湾曲部２５とから形成される平面視略Ｕ字状の外形となされ、そして前記傾斜面２１の下部が円筒形状となされていることによって、前記等幅部２４の両側端はその下部の円筒形状より左右側方に突出されて、鍔部２６となされている。
【００１３】
３は支柱１の上端に被せられた支柱キャップ２の傾斜面２１である支柱１の頂部にボルトにより３ヶ所固定された支持部材であり、４は支持部材３に支持されて支柱１頂部間に架設されたパイプ状の手摺ビームである。
支持部材３は、支柱キャップ２の傾斜面２１と同形の平坦な平面視略Ｕ字状となされた底板３１の上面側に、前面フランジ３２と、後面フランジ３３と、前記前面フランジ３２と後面フランジ３３とを連結する連結板部３４とからなる断面略Ｈ形の支柱部３５が、底板３１の前端に寄った位置に偏位して取付けられると共に、前記支柱部３５の上端背面側には、手摺ビーム４を固定する締結具挿入孔３６が水平方向に穿設された縦壁３７と、その縦壁３７の前面側に手摺ビーム４が載置される正面視山型の底部が形成された手摺ビーム載置部３８が設けられて、手摺ビーム４を固定するボルト等の締結具Ｂ２が縦壁３７の締結具挿入孔３６から挿入締結されて、締結具Ｂ２を軸として手摺ビーム４を上下方向に回動可能に支持するようになされている。
【００１４】
そして、前面フランジ３２と後面フランジ３３とは、その幅が下端から上端に至るまで一定幅で同幅となされ、正面視略縦長の長方形状を呈していると共に、底板３１から斜め後方に向けて傾斜状に立ち上がる第１の傾斜部３２１、３３１と、該第１の傾斜部３２１、３３１の上端を屈曲部３２２、３３２として、この屈曲部３２２、３３２から斜め前方に向けて傾斜状に立ち上がる第２の傾斜部３２３、３３３とから構成されている。そして、上述の如く、縦壁３７が後面フランジ３３の第２の傾斜部３３３の上端から垂直に立ち上がって、その前面側に手摺ビーム４が載置される正面視山型の底部が形成された手摺ビーム載置部３８が形成されている。
【００１５】
また前記連結板部３４は、底板３１から前面フランジ３２と後面フランジ３３の屈曲部３２２、３３２までの間において、その中央が上下２ヶ所切欠かれてなり、上側に略三角形状の切欠３４１、下側に略台形状の切欠３４１が配置されている。このようにすることにより、支持部材３が手摺ビーム４を支持できる強度を確保すると共に、使用材料を軽量化することができ好ましい。
【００１６】
そして縦壁３７の両側端と上端から背面側に向けて、補強壁３９が突設され、縦壁３７の強度向上が図られていると共に、締結具Ｂ２のボルト頭が、縦壁３７と補強壁３９とで形成される凹部４０に収納されて、外方に締結具Ｂ２のボルト頭等が露出されないようになされているため、ボルト頭等に衣服等が引っ掛るのを防止することができる。
【００１７】
さらに詳細に手摺ビーム４が支持部材３に取付けられている構造を述べると、２本の手摺ビーム４に手摺ビーム用インナースリーブ４２が挿入され、手摺ビーム４の端部下面に設けられた通孔４１に手摺ビーム端部固定用ボルトＢ３が螺入され、手摺ビーム４と手摺ビーム用インナースリーブ４２とが固定されて、該手摺ビーム用インナースリーブ４２の側面に設けられたインナースリーブ固定孔４３と縦壁３７の締結具挿入孔３６とに手摺ビーム４を固定するボルト等の締結具Ｂ２が螺入されて、手摺ビーム用インナースリーブ４２を介して、手摺ビーム４が支持部材３の縦壁３７に手摺ビームを固定するボルト等の締結具Ｂ２により固定されている。また柵が傾斜地に設置される場合には、正面視山型の底部が形成された手摺ビーム載置部３８に、手摺ビーム用インナースリーブ４２を介して連結された相隣り合う手摺ビーム４の端部が載置されて、手摺ビーム４を固定する締結具Ｂ２を軸にして手摺ビーム４を上下方向に回動することができるため、平坦地に設置する場合と同一の部材をもって手摺ビーム４を設置することができる。また、手摺ビーム用インナースリーブ４２を介して連結された相隣り合う手摺ビーム４の端部間を覆うために、合成樹脂やゴム等の弾性材料で形成された短冊状のカバー材４４が、手摺ビーム用インナースリーブ４２の外形に沿って、相隣り合う手摺ビーム４の端部間に取付けられている。
なお、手摺ビーム用インナースリーブ４２を介して連結された相隣り合う手摺ビーム４は、支持部材３の正面視山型の底部に当接されていてもよいし、浮いた状態で保持されていてもよい。要は、手摺ビーム４が支持部材３に支持されているので、通常は底部で手摺ビーム４を受けるようになされているが、施工上浮いた状態でもよい。
【００１８】
本形態において、手摺ビーム４の下方には、パイプ状の柵ビーム５が４段取付けられており、最下段から３段の柵ビーム５は継手金具６を介して支柱１の側面に取付けられている。
また、支柱１上端に取付けられた支柱キャップ２の前面側の側面には、その中心に軸受孔２８が設けられた円形状の軸受部２７が突設され、該軸受部２７に取付具固定用孔７１が外嵌された柵ビーム取付具７が上下方向に回動可能に取付けられて、該柵ビーム取付具７に柵ビーム用インナースリーブ５１が取付けられ、該柵ビーム用インナースリーブ５１の両側に最上段の柵ビーム５が取付けられている。つまり、柵ビーム取付具７の前記軸受孔２８に対応する位置に設けられた取付具固定用孔７１と、支柱キャップ２の軸受孔２８とに、柵ビーム取付具固定用ボルトＢ４が螺入され、支柱キャップ２に柵ビーム取付具７を介して最上段の柵ビーム５が取付けられている。
【００１９】
上記構成とすることにより、柵を傾斜地に設置する場合には、支柱キャップ２の前面側の側面に突設された円形状の軸受部２７を中心にして、柵ビーム取付金具７を上下方向に回動させることができ、柵ビーム５を傾斜地に沿って固定することができる。また上述の如く、柵ビーム５の上方に配置される手摺ビーム４も、正面視山型の底部が形成された手摺ビーム載置部３８を備えた支持部材３の縦壁３７の締結具挿入孔３６に挿入された締結具Ｂ２を軸として上下方向に回動可能となされているため、平坦地に設置する場合と同一の部材をもって柵全体を設置することができる。
【００２０】
なお、本形態においては、柵ビーム５は４段に設けられているが、これに限定されるものではなく、適宜本数の柵ビーム５が設けられればよく、また柵ビーム５と所謂縦格子パネルとが並設されてもよい。
【産業上の利用可能性】
【００２１】
本発明に係る柵によれば、支持部材によって上下方向に回動可能に支持された手摺ビームに加えて、支柱上端に取付けられた支柱キャップの側面に軸受部が突設され、該軸受部に柵ビーム取付具が上下方向に回動可能に取付けられ、該柵ビーム取付具に柵ビームが取付けられると共に、前記支柱キャップ上に前記支持部材を介して手摺ビームが支持されているため、平坦地に柵を設置する場合であっても、傾斜地に柵を設置する場合であっても、同一の部材を用いて柵を施工することができ、特殊な部材を用いることなく安価に施工できる柵として、好適に利用することができる。
【符号の説明】
【００２２】
１    支柱
２    支柱キャップ
２１  傾斜面
２２  凹溝
２３  挿入部
２４  等幅部
２５  湾曲部
２６  鍔部
２７  軸受部
２８  軸受孔
３    支持部材
３１  底板
３２  前面フランジ
３２１第１の傾斜部
３２２屈曲部
３２３第２の傾斜部
３３  後面フランジ
３３１第１の傾斜部
３３２屈曲部
３３３第２の傾斜部
３４  連結板部
３４１切欠
３５  支柱部
３６  締結具挿入孔
３７  縦壁
３８  手摺ビーム載置部
３９  補強壁
４０  凹部
４    手摺ビーム
４１  通孔
４２  手摺ビーム用インナースリーブ
４３  インナースリーブ固定孔
４４  カバー材
５    柵ビーム
５１  柵ビーム用インナースリーブ
６    継手金具
７    柵ビーム取付具
７１  取付具用固定孔
Ｈ    反射体
Ｂ１  支柱キャップ固定用ボルト
Ｂ２  締結具
Ｂ３  手摺ビーム端部固定用ボルト
Ｂ４  柵ビーム取付具固定用ボルト
【図１】
0005437938.tif 000002
【図２】
0005437938.tif 000003
【図３】
0005437938.tif 000004
【図４】
0005437938.tif 000005
【図５】
0005437938.tif 000006